(57)【特許請求の範囲】
【請求項１】
ハンドル本体と；
上記ハンドル本体内のキャビティと；
上記キャビティ内にある取付けブロックと；
上記取付けブロックから突出した回転部材と；
上記キャビティ内でそれぞれが１つの回転部材と回動できるジャーナル軸受と；
上記回転部材が上記ジャーナル軸受と回動係合して前記ハンドル本体が取付けブロックに対して第１と第２の位置の間で回動できるように上記キャビティ内に上記取付けブロックを保持するクリップと；
上記キャビティ内に設けられ、上記回転部材がスライドしてこのキャビティ内に取付けブロックを位置づける端部開放の溝と；
から構成されることを特徴とする折畳式ハンドル。
【請求項２】
取付けブロックが、軸の端部を受ける第１の穴と、第１の穴と交差する第２の穴とを有しており、第２の穴は、回転可能な要素が第１の穴に位置しているときに、取付けブロックを上記軸に固定するための固定具を受容することができる請求項１に記載のハンドル。
【請求項３】
回転部材が反対方向に突出している一対の栓を含む請求項１に記載のハンドル。
【請求項４】
キャビティが、対向する側壁を含み、上記端部開放の溝は各側壁に形成され、前記溝はジャーナル軸受の表面と連接している請求項１に記載のハンドル。
【請求項５】
第１の位置および／または第２の位置を決定する取付けブロックに係合する接触面を前記クリップの一端部に形成した請求項４に記載のハンドル。
【請求項６】
ハンドルが第１の位置および第２の位置の一方または両方にあるときに取付けブロックに対するハンドルの運動に抵抗する抵抗機構を更に含む請求項４に記載のハンドル。
【請求項７】
保持部材が移動止め作用を与える請求項１に記載のハンドル。
【請求項８】
保持部材が、取付けブロック内の少なくとも１つの移動止めに係合するように形成された末端を備えるカンチレバー形クリップである請求項７に記載のハンドル。
【請求項９】
取付けブロックが離間した一対の移動止めを有する請求項８に記載のハンドル。
【発明の詳細な説明】
【０００１】
【発明の属する技術分野】
本発明はハンドル、より詳細には、窓操作部材を操作する際に有用なハンドルに関する。
【０００２】
本発明は、窓操作部材とともに使用するように意図されたハンドルを特に対象とするが、このハンドルは、何らかの機構、例えばフィッシング・リールや他の回転可能な機構の操作を容易にするために、ハンドルが回転可能な軸に取り付けられる他の利用例にも使用できる。
【０００３】
【従来の技術】
窓操作部材のために、
窓操作部材が、窓のフレーム内に取り付けられた移動可能な窓のサッシと結合させたリンクが組み込まれたハウジングを配置することが一般的である。ハウジングの内部に、リンクの操作を行なうための機構が存在する。その機構は、ハウジングから突き出る（通常端部自由端がスプライン切りされている）軸を介して動作する。ハンドルは、軸の回転を容易にするためにスプラインが形成された軸に取り付けられる。
【０００４】
一般に、操作者に知られているように、ハンドルはハウジングから突出しており、したがって操作者の実際の操作に必要とされないときには邪魔になる。したがって、使用位置から格納位置へハンドルを移動させることができる用にしたものが知られている。その格納位置では、ハンドルがハウジングから不必要に突出することのないようになっている。その場合、「不使用」位置に格納されているとき、ハンドルは「使用」位置にあるときほど邪魔にはならない。
【０００５】
このタイプの知られているハンドルにはいくつかの欠点があった。例えば、ハンドルは、回転軸によって取付けブロックに回転できるように結合されるのが普通である（Ｖｅｔｔｅｒの米国特許出願第５５６００８２号およびＥｌｌｉｓの米国特許出願第５１６８７７０号の明細書を参照）。この軸はハンドルとブロックを通して延びており、したがってハンドルの外から良く見ることができる。特にすぐ目につく窓の機材の美観を向上させるより大きな動きがあるが、回転軸の端部の視覚的インパクトは、ハンドルと関連する操作部材全体の外観を損うことがある。
【０００６】
また、知られているハンドルには、時々非常厄介な作業によって組み立てなければならないいくつかの要素を含むという欠点があった。
【０００７】
【発明が解決しようとする課題】
したがって、本発明の一目的は、前に記述した欠点の一部または全部がないかまたは少なくとも使用者に有用な選択を与える折畳可能なハンドルを提供することである。
【０００８】
【課題を解決するための手段】
概して、本発明によれば、回転可能な軸部材への取付けに用いられる取付けブロックを含むハンドルであって、ハンドル本体は内部にそのブロックを係合させるキャビティを有し、その取付けブロックは、ジャーナル軸受けと係合するようにキャビティ内のくぼみにスライドして係合される回転部材を含み、それにより取付けブロックに対するハンドルの回動運動を容易にする。
【０００９】
本発明の以下のより詳細な説明において、添付の図面を参照する。
【００１０】
【発明の実施の形態】
本明細書では、「不使用」位置と「使用」位置との間で移動可能または折畳み可能なハンドルについて説明する。これは、格納位置にあるハンドルが、取り付けることができる軸を少なくとも部分的に回転させることができないことを意味しているわけではない。しかし一般的に、そのような格納位置または不使用位置では、軸の全体的または部分的な回転を行うことは非実用的であるかまたは難しい。
【００１１】
まず図１を参照すると、ハンドルは基底端部１１および末端１２を有するハンドル本体１０を含む。ノブ１３は、例えば知られている方法で、スプラインが形成された固定具１４で末端１２に回転できるように取り付られる。固定具１４は、末端１２の開口部１６を通してノブ１３を係合できるように延びている。座金１５が、固定具１４とノブ１３の頭を末端１２の表面との直接的な接触から分離している。
【００１２】
基底端部１１は、くぼみすなわちキャビティ１７を含む。このキャビティ１７は対向する表面１８の対を含み、その各々面はキャビティの中で延びている細長い溝１９を有する。各溝すなわちくぼみ１９の内側端部は、曲がった端部またはジャーナル軸受けの表面１９ａとして形成されることが好ましい。その理由は以後明らかになるであろう。
【００１３】
取付けブロック２０は、互いに反対側に突出している栓２１の対を含む。栓は回転部材となるものである。これらの栓２１は、それぞれの細長いくぼみ１９の内部で十分に楽にスライドできるような大きさとされている。栓２１の曲がった周囲表面は、溝／くぼみ１９の対向している側壁の間の距離よりもわずかに短い直径と同じであり、また溝１９の曲がった終壁１９ａの直径に対しても同様である。
【００１４】
取付けブロック２０は、ブロック２０の側壁２２がキャビティ１７のそれぞれの壁１８に位置するようにキャビティ１７に取り付けられる。取付けを実行するために、栓２１を溝１９に沿って滑らせる。したがって栓２１は、溝１９の曲がった終壁１９ａに係合するかまたはその最も近くに位置する。したがってハンドル本体１０は、位置合わせされているが反対方向に突出している栓２１を通過する中心軸の周りを回動できる。
【００１５】
穴２９（好ましくは盲穴）が取付けブロック２０に形成されている。その穴２９は栓２１を通過する前述した軸に直角の縦の軸を有する。使用の際には、窓操作部材のスプラインが形成された軸が穴２９の内側に係合する。
【００１６】
第２の穴２３が取付けブロック２０に設けられている。その穴は、穴２９に対して直角である。したがって、固定具が（穴２９に延びている）穴２３を通して延びることができ、取付けブロック２０を窓操作部材のスプラインが形成された軸に固定するときに、そのスプラインが形成された軸と係合させられる。
【００１７】
取付けブロック２０をキャビティ１７内の動作位置に保持するために、クリップ２４が用意されている。（図示の形では弓形断面を持つ）接触面２５はクリップ２４の１つの端部に形成され、一方クリップ２４の別の端部には開口部２６が形成されている。開口部２６が位置しているクリップ２４の位置は、例えば図１のように、クリップ２４の他の部分に対してわずかに角度がつけられている。
【００１８】
ハンドル本体１０内の部分３１に突出部３０が形成される（図２および図３参照）。この突出部３０が開口部２６内で係合し、それによってクリップ２４がハンドル本体１０内に配置される。
【００１９】
接触面２５は取付けブロック２０と係合する。その接触面は、ハンドルが「使用」位置または格納位置にあるかどうかに応じて、移動止め２７または移動止め２８に係合する。ハンドルが双方の位置の間を移動するとき、接触面２５は取付けブロック２０の表面３２を通過する。したがって、移動止め２７または移動止め２８のどちらかと接触面２５の係合は、ハンドルが「使用」位置または「不使用」位置のそれぞれの位置にしっかりと保持されていることを保証する。
【００２０】
図２および３で示した他の構成では、移動止め２８のみが設けられている。したがって、接触面２５は、ハンドルが「使用」位置にあるとき移動止め２８で係合する。これによって、ハンドルが使用されているときその格納位置に向かって回動しないことを保証する。しかし、格納位置ではしっかりとハンドルを保持する必要性はそれほど大きくないので、ハンドルはばねの圧力または表面３２と接する接触面２５から生じる摩擦の効果によって「不使用」位置で簡単に保持される。
【００２１】
取付けブロック２０の表面３２の反対側は、平面３４と上面３７へ連なる傾斜面３９とされている。縁３５は、表面３４から外側に延びている。ハンドルが「使用」位置にあるとき、縁３５が切り欠き３６内部に位置して、ノブ１３の回転によって開閉操作が実行されるときにハンドルを取付けブロックに対して動くことがないように、ハンドル本体１０を取付けブロックに位置付ける。
【００２２】
傾斜面３９は、ハンドル本体１０が取付けブロック２０に対して回動できるような空間を形成させている。ハンドルが格納位置または「不使用」位置に移動されたとき、上面３７はハンドル本体１０の内部表面３８と係合する。したがって、切り欠き３６と表面２８は、取付けブロック２０に対してハンドル本体１０の移動を制限する端止めとなっている。すなわち、これらは抵抗機構を構成している。
【００２３】
このように、本発明に記載のハンドルは、分離できる回転軸を必要としない構造を提供する。したがって、回転軸の通路用にハンドル本体１０の取付端部１１にあけられた又はそれを通して形成された孔を必要とせず、さらに外から見える回転軸の端部もない。回転機構は全体的にキャビティ１７内部に配置され、そのためにほとんど見ることができず、ハンドルの美観を向上させることができる。
【００２４】
取付けブロック２０をキャビティ１７内の動作位置に保持するだけでなく、少なくとも１つの移動止めを構成するクリップ２４を使用することによって、構成部材が最小になり、かつ組立手順が非常に簡単になる。
【図面の簡単な説明】
【図１】  ハンドルの好ましい実施形態の分解斜視図である。
【図２】  ハンドルが「使用」位置にある図１に示したものへわずかな変更を加えたハンドルの断面図である。
【図３】  ハンドルが格納位置または「不使用」位置に折り畳まれている図２と同様の図である。
【符号の説明】
１０  ハンドル本体
１７  キャビティ
１８  壁
１９  くぼみ
１９ａ  ジャーナル軸受けの表面
２０  取付けブロック
２１  回転部材
２４  クリップ
【図１】
0004565698.tif 000002
【図２】
0004565698.tif 000003
【図３】
0004565698.tif 000004